(57)【特許請求の範囲】
【請求項１】
コンテンツデータ毎に生成される整理情報が付加されて編成された番組本体データと補助素材群の組合せからなるマルチメディアコンテンツ群によるコンテンツデータとして連続ストリーミングを送出する送信サーバ機能部と、
上記送信サーバ機能部から上記コンテンツデータとして送られてくる連続ストリーミングを受信する機能と、受信した番組本体データ及び補助素材の記録機能と、上記番組本体データ及び補助素材に附属された整理情報の記録機能と、選択されたコンテンツデータの再生開始が指示されると、上記コンテンツデータに係る番組本体データ及び補助素材に附属する整理情報を端末識別情報とともに送出する機能を備える端末機能部と、
上記端末機能部のプロファイルデータを管理し、上記端末機能部から送出された整理情報と端末識別情報に基づいて、上記端末機能部で選択された上記コンテンツデータに係る番組本体データに組み合わされた補助素材の変更の有無を検出し、変更された補助素材がある場合に上記補助素材の変更指示を上記端末機能部に対して行う処理サーバ機能部と
からなり、
上記端末機能部は、上記処理サーバ機能部から補助素材の変更指示を受信すると、上記補助素材の再生を開始する前に、上記変更指示にしたがって上記コンテンツデータに係る番組本体データに組み合わされる補助素材を変更して上記コンテンツデータを再編成する再編成機能を有する情報提供システム。
【請求項２】
上記処理サーバ機能部は、上記端末機能部から送出された整理情報と端末識別情報に基づいて、上記端末機能部で選択された番組本体データに組み合わされた補助素材に対して改訂補助素材があることを検出した場合に、上記端末機能部に対して上記改訂補助素材があること通知し、その応答として受入れ承認を受信したら、その改訂補助素材と改訂指示を上記端末機能部に送出し、
上記端末機能部は、上記処理サーバ機能部から改訂補助素材と改訂指示を受信すると、受信した訂正指示にしたがって上記コンテンツデータに係る番組本体データに組み合わされる補助素材を上記再編成機能により上記改訂補助素材に変更して上記コンテンツデータを再編成する請求項１記載の情報提供システム。
【請求項３】
上記処理サーバ機能部は、上記端末機能部のプロファイルデータを管理し、上記改訂補助素材の確認処理を行う改訂補助素材確認処理機能と、上記改訂補助素材確認処理機能よる変更指示に従って改訂補助素材を上記端末機能部に送出する改訂補助素材送出機能と、上記端末機能部のプロファイルデータと上記改訂補助素材送出機能により与えられる改訂補助素材の属性とを比較演算することにより、上記番組本体データに組み合わされた補助素材を上記改訂補助素材に差し替えた新たな編成を構築してその変更指示を上記端末機能部に送出する演算処理機能を備える請求項１記載の情報提供システム。
【請求項４】
上記処理サーバ機能部は、上記端末機能部から送出された整理情報と端末識別情報に基づいて、上記端末機能部で選択された番組本体データに組み合わされた補助素材に対して補充すべき補助素材があることを検出した場合に、上記端末機能部に対して補充補助素材があること通知し、その応答として受入れ承認を受信したら、その補充補助素材と補充指示を上記端末機能部に送出し、
上記端末機能部は、上記処理サーバ機能部から補充補助素材と補充指示を受信すると、受信した補充指示にしたがって上記コンテンツデータに係る番組本体データに組み合わされる補助素材として上記補充補助素材を補充して上記再編成機能により上記コンテンツデータを再編成する請求項１記載の情報提供システム。
【請求項５】
上記処理サーバ機能部は、上記端末機能部から送出された整理情報と端末識別情報に基づいて、上記端末機能部に削除すべき補助素材があることを検出した場合に、上記端末機能部に対して削除すべき補助素材があること通知し、その応答として受入れ承認を受信したら、削除指示を上記端末機能部に送出し、
上記端末機能部は、上記処理サーバ機能部から削除指示を受信すると、受信した削除指示にしたがって上記コンテンツデータに係る番組本体データに組み合わされる補助素材を削除して上記再編成機能により上記コンテンツデータを再編成する請求項１記載の情報提供システム。
【請求項６】
上記処理サーバ機能部は、上記端末機能部から送出された整理情報と端末識別情報に基づいて、上記端末機能部側で再生されたコンテンツの集計処理を行う請求項１記載の情報提供システム。
【請求項７】
上記処理サーバ機能部は、上記端末機能部から送出された整理情報と端末識別情報に基づいて、上記端末機能部側で再生されたコンテンツの複製状態を確認する処理を行う請求項１記載の情報提供システム。
【請求項８】
上記処理サーバ機能部による端末機能部に対する補助素材の変更指示の内容を集計して、提供したコンテンツデータに係る番組本体データに組み合わされる補助素材に関する課金について、その集計結果に基づいて、上記補助素材の差し替えに応じた清算処理を行う清算処理手段をさらに備える請求項１記載の情報提供システム。
【請求項９】
コンテンツデータ毎に生成される整理情報が付加されて編成された番組本体データと補助素材群の組合せからなるマルチメディアコンテンツ群によるコンテンツデータとして連続ストリーミングを情報端末装置に送出する機能と、上記情報端末装置のプロファイルデータを管理し、上記情報端末装置から送出された整理情報と端末識別情報に基づいて、上記情報端末装置で選択された上記コンテンツデータに係る番組本体データに組み合わされた補助素材の変更の有無を検出し、変更された補助素材がある場合に上記補助素材の変更指示を上記情報端末装置に対して行う機能を有する情報サーバ装置を備える情報提供システムにおける情報端末装置であって、
上記情報サーバ装置から上記コンテンツデータとして送られてくる連続ストリーミングを受信する機能と、
受信した番組本体データ及び補助素材の記録機能と、
上記番組本体データ及び補助素材に附属された整理情報の記録機能と、
選択されたコンテンツデータの再生開始が指示されると、上記コンテンツデータに係る番組本体データ及び補助素材に附属する整理情報を端末識別情報とともに送出する機能と、
上記情報サーバ装置から補助素材の変更指示を受信すると、上記補助素材の再生を開始する前に、上記変更指示にしたがって上記コンテンツデータに係る番組本体データに組み合わされる補助素材を変更して上記コンテンツデータを再編成する再編成機能と
を有する情報端末装置。
【請求項１０】
情報サーバ装置からコンテンツデータ毎に生成される整理情報が付加されて編成された番組本体データと補助素材群の組合せからなるマルチメディアコンテンツ群によるコンテンツデータとして送られてくる連続ストリーミングを受信する機能と、受信した番組本体データ及び補助素材の記録機能と、上記番組本体データ及び補助素材に附属された整理情報の記録機能と、選択されたコンテンツデータの再生開始が指示されると、上記コンテンツデータに係る番組本体データ及び補助素材に附属する整理情報を端末識別情報とともに送出する機能と、上記情報サーバ装置から補助素材の変更指示を受信すると、上記補助素材の再生を開始する前に、上記変更指示にしたがって上記コンテンツデータに係る番組本体データに組み合わされる補助素材を変更して上記コンテンツデータを再編成する再編成機能とを有する情報端末装置を備える情報提供システムにおける情報サーバ装置であって、
コンテンツデータ毎に生成される整理情報が付加されて編成された番組本体データと補助素材群の組合せからなるマルチメディアコンテンツ群によるコンテンツデータとして連続ストリーミングを情報端末装置に送出する機能と、
上記情報端末装置から上記整理情報と端末識別情報を受信する機能と、
上記情報端末装置のプロファイルデータを管理し、受信した整理情報と端末識別情報に基づいて、上記情報端末装置で選択された上記コンテンツデータに係る番組本体データに組み合わされた補助素材の変更の有無を検出する機能と、
変更された補助素材がある場合に上記補助素材の変更指示を上記情報端末装置に対して行う機能と
を有する情報サーバ装置。
【請求項１１】
情報端末装置から送出された整理情報と端末識別情報に基づいて、上記情報端末装置で選択された番組本体データに組み合わされた補助素材に対して改訂補助素材があることを検出した場合に、上記情報端末装置に対して上記改訂補助素材があること通知し、その応答として受入れ承認を受信したら、その改訂補助素材と改訂指示を上記情報端末装置に送出し、
上記情報端末装置において、上記訂正指示にしたがって上記コンテンツデータに係る番組本体データに組み合わされる補助素材を上記再編成機能により上記改訂補助素材に変更して上記コンテンツデータを再編成させる請求項１０記載の情報サーバ装置。
【請求項１２】
上記情報端末装置のプロファイルデータを管理し、上記改訂補助素材の確認処理を行う改訂補助素材確認処理機能と、上記改訂補助素材確認処理機能よる変更指示に従って改訂補助素材を上記情報端末装置に送出する改訂補助素材送出機能と、上記改訂補助素材確認処理機能により管理されている上記情報端末装置のプロファイルデータと上記改訂補助素材送出機能により与えられる改訂補助素材の属性とを比較演算することにより、上記番組本体データに組み合わされた補助素材を上記改訂補助素材に差し替えた新たな編成を構築してその変更指示を記情報端末装置に送出する演算処理機能を備える請求項１１記載の情報サーバ装置。
【請求項１３】
情報端末装置から送出された整理情報と端末識別情報に基づいて、上記情報端末装置で選択された番組本体データに対して補充すべき補助素材があることを検出した場合に、上記情報端末装置に対して補充補助素材があること通知し、その応答として受入れ承認を受信したら、その補充補助素材と補充指示を上記情報端末装置に送出し、
上記情報端末装置において、上記補充指示にしたがって上記コンテンツデータに係る番組本体データに組み合わされる補助素材として上記補充補助素材を補充して上記再編成機能により上記コンテンツデータを再編成させる請求項１０記載の情報サーバ装置。
【請求項１４】
情報端末装置から送出された整理情報と端末識別情報に基づいて、上記情報端末装置に削除すべき補助素材があることを検出した場合に、上記情報端末装置に対して削除すべき補助素材があること通知し、その応答として受入れ承認を受信したら、削除指示を上記情報端末装置に送出し、
上記情報端末装置において、上記削除指示にしたがって上記コンテンツデータに係る番組本体データに組み合わされる補助素材を削除して上記再編成機能により上記コンテンツデータを再編成させる請求項１０記載の情報提供システム。
【請求項１５】
情報端末装置から送出された整理情報と端末識別情報に基づいて、上記情報端末装置で再生されたコンテンツの集計処理を行う請求項１０記載の情報サーバ装置。
【請求項１６】
情報端末装置から送出された整理情報と端末識別情報に基づいて、上記情報端末装置側で再生されたコンテンツの複製状態を確認する処理を行う請求項１０記載の情報サーバ装置。
【請求項１７】
情報端末装置に対する補助素材の変更指示の内容を集計し、提供したコンテンツデータに係る番組本体データに組み合わされる補助素材に関する課金について、その集計結果に基づいて、上記補助素材の差し替えに応じた清算処理を行う機能をさらに備える請求項１０記載の情報サーバ装置。
【請求項１８】
送信サーバ機能部からコンテンツデータ毎に生成される整理情報が付加されて編成された番組本体データと補助素材群の組合せからなるマルチメディアコンテンツ群によるコンテンツデータとして連続ストリーミングを送出し、
上記コンテンツデータとして送られてくる連続ストリーミングを受信し、受信した番組本体データ及び補助素材を記録するとともに上記番組本体データ及び補助素材に附属された整理情報を記録し、選択されたコンテンツデータの再生開始が指示されると、上記コンテンツデータに係る番組本体データ及び補助素材に附属する整理情報を端末識別情報とともに送出する機能を有する情報端末装置に対して、処理サーバ機能部により、上記情報端末装置のプロファイルデータを管理し、上記情報端末装置から送出された整理情報と端末識別情報に基づいて、上記情報端末装置で選択された上記コンテンツデータに係る番組本体データに組み合わされた補助素材の変更の有無を検出し、変更された補助素材がある場合に上記補助素材の変更指示を行い、
上記情報端末装置において、上記処理サーバ機能部から補助素材の変更指示を受信すると、上記補助素材の再生を開始する前に、上記変更指示にしたがって上記コンテンツデータに係る番組本体データに組み合わされる補助素材を変更して上記コンテンツデータを再編成する情報提供方法。
【請求項１９】
上記情報端末装置から送出された整理情報と端末識別情報に基づいて、上記情報端末装置で選択された番組本体データに組み合わされた補助素材に対して改訂補助素材があることを検出した場合に、上記情報端末装置に対して上記改訂補助素材があること通知し、その応答として受入れ承認を受信したら、その改訂補助素材と改訂指示を上記情報端末装置に送出し、
上記情報端末装置において、上記処理サーバ機能部から改訂補助素材と改訂指示を受信すると、受信した訂正指示にしたがって上記コンテンツデータに係る番組本体データに組み合わされる補助素材を上記改訂補助素材に変更して上記コンテンツデータを再編成する請求項１８記載の情報提供方法。
【請求項２０】
上記処理サーバ機能部により上記情報端末装置のプロファイルデータを管理して上記改訂補助素材の確認処理を行い、上記情報端末装置のプロファイルデータと上記改訂補助素材の属性とを比較演算することにより、上記番組本体データに組み合わされた補助素材を上記改訂補助素材に差し替えた新たな編成を構築しその変更指示を上記情報端末装置に送出する請求項１８記載の情報提供方法。
【請求項２１】
上記情報端末装置から送出された整理情報と端末識別情報に基づいて、上記情報端末装置で選択された番組本体データに対して補充すべき補助素材があることを検出した場合に、上記情報端末装置に対して補充補助素材があること通知し、その応答として受入れ承認を受信したら、その補充補助素材と補充指示を上記情報端末装置に送出し、
上記情報端末装置において、上記処理サーバ機能部から補充補助素材と補充指示を受信すると、受信した補充指示にしたがって上記コンテンツデータに係る番組本体データに組み合わされる補助素材として上記補充補助素材を補充して上記コンテンツデータを再編成する請求項１８記載の情報提供方法。
【請求項２２】
上記情報端末装置から送出された整理情報と端末識別情報に基づいて、上記情報端末装置で選択された番組本体データに対して削除すべき補助素材があることを検出した場合に、上記情報端末装置に対して削除すべき補助素材があること通知し、その応答として受入れ承認を受信したら、削除指示を上記情報端末装置に送出し、
上記情報端末装置において、上記処理サーバ機能部から削除指示を受信すると、受信した削除指示にしたがって上記コンテンツデータに係る番組本体データに組み合わされる補助素材を削除して上記コンテンツデータを再編成する請求項１８記載の情報提供方法。
【請求項２３】
上記情報端末装置から送出された整理情報と端末識別情報に基づいて、上記情報端末装置で再生されたコンテンツの集計処理を行う請求項１８記載の情報提供方法。
【請求項２４】
上記情報端末装置から送出された整理情報と端末識別情報に基づいて、上記情報端末装置側で再生されたコンテンツの複製状態を確認する処理を行う請求項１８記載の情報提供方法。
【請求項２５】
上記処理サーバ機能部による上記情報端末装置に対する補助素材の変更指示の内容を集計して、提供したコンテンツデータに係る番組本体データに組み合わされる補助素材に関する課金について、その集計結果に基づいて、上記補助素材の差し替えに応じた清算処理を行う請求項１８記載の情報提供方法。
【発明の詳細な説明】
【０００１】
【発明の属する技術分野】
本発明は、予め編成された番組本体データと補助素材群の組合せからなるマルチメディアコンテンツ群によるコンテンツデータを提供する情報提供システム、情報端末装置、情報サーバ装置及び情報提供方法に関する。
【０００２】
【従来の技術】
地上波による放送や衛星放送、ＣＡＴＶなどの放送システムでは、放送局側で番組内容にコマーシャル（ＣＭ）を挿入して送信している。すなわち、ＣＭの導入により伝送コストやコンテンツに対するコストを視聴者に代わってＣＭのスポンサが肩代わりすることにより、視聴者はリーズナブルなコストでサービスを受けることができるようになっている。
【０００３】
また、従来より、放送された番組を磁気テープを記録媒体としたビデオカセットレコーダ（以下、ＶＣＲという）などの記録再生装置により記録しておき、時間のあるときに記録媒体から所望の番組を再生することが広く行われている。
【０００４】
また、近年ビデオ、オーディオのディジタル符号化技術及び広帯域ネットワーク技術の進展により、これらを利用したアプリケーションの開発が盛んになっている。これらのアプリケーションの１つとして検討されているものに、ＶｏＤ（Ｖｉｄｅｏ ｏｎ Ｄｅｍａｎｄ）に代表されるインタラクティブビデオサービスがある。ＶｏＤは送信側のビデオサーバと受信側のセットトップボックスを回線で１対１につなぎ、上り回線を使用してセットトップボックスからビデオサーバ側に信号を送ることによりビデオサーバをＶＣＲのように受信側の要求するように自在に操ることのできるシステムである。例えば、インターネット等の情報通信ネットワークにおいて、ユーザが視聴番組の内容を端末から選択することができるオンデマンド番組のストリーミング送信が行われている。
【０００５】
オンデマンド番組のストリーミング送信すなわちオンデマンド放送を行う送信センタ側では、オンデマンド番組として、例えば、
１）クリスマスセールス対応のＣＭを挿入した正月年末用映画、
２）新春セールス対応のＣＭを挿入した正月年末用映画、
３）夜の時間帯に放送したいＣＭを挿入した正月年末用映画
などをそれぞれ全編個別に保管しておき、ユーザにより指定に応じて上記１）〜３）の内容のオンデマンド番組を選択的に送出する。この場合、１）〜３）の内容のオンデマンド番組には、価格設定やコスト分配が個別に規定される。
【０００６】
【発明が解決しようとする課題】
ところで、一般家庭ユーザが使用するＶＣＲなど記録再生装置においては、録画した番組と再生する番組は同一のものである。すなわち、従来、番組と番組の間に挿入されたＣＭは恒常的なものである。
【０００７】
しかしながら、ＣＭは一種の商品情報であるから、有効期間があり、また対象にする視聴者を選ぶはずである。
【０００８】
例えば、ある期間限定のバーゲンに関するＣＭ告知は、その期間が経過してから再生されても、告知という観点からは無意味なものとなってしまう。また、例えば視聴者が男性である場合、通常は女性用の化粧品などの宣伝の効果が薄いと考えられるが、従来、記録再生装置によって録画された放送番組は視聴者の性別に拘わらず画一的に再生されてしまう。
【０００９】
ところで、従来、オンデマンド放送においては、ユーザが番組そのものを複数から選択する機能はあったが、同一番組の異なる編成からの選択を視聴者に委ねるサービスは行われていない。
【００１０】
インターネット技術の進歩などにより、各視聴者の個別の好みに合わせた多種類のコンテンツ流通が盛んになるにしたがい、視聴者側はマス情報よりも、より自分に合ったカスタマイズされた情報の入手を期待する。個別にカスタマイズされた情報を編成し、複数蓄積すると多量の記憶容量が必要となる。また刻一刻と変化するユーザの志向に合わせて全体を編成し直すには多大な手間がかかる。
【００１１】
すなわち、従来のオンデマンド放送では、決まった組合せに対してひとつの価格とコスト分配が画一的に規定されるため、送出直前に組合せを変えた場合に幾らで売るか、どのようにコスト分配するかを規定するのが難しい。また、送信センタが用意しなければならない番組ライブラリの容量は相当大きくなり、特に、挿入部分のバリエーションを複数用意しようという場合には極めて大きな容量を準備しなければならなくなる。また価格設定やコスト分配についても個々に計算しなければならなくなる。
【００１２】
そこで、本発明の目的は、放送時の編成と再生時の編成を意図的に変更することを可能にすることにある。
【００１３】
また、本発明の他の目的は、放送時には伝えきれない精度の高い情報をユーザに提供することができようにすることにある。
【００１４】
また、本発明の他の目的は、プロファイルデータを一時的に他のプロファイルデータに置き換えることにより、他人の環境を即座に自分の環境に変更することができる。
【００１５】
さらに、本発明の他の目的は、補助素材の差し替えに応じた清算処理を行い、ＣＭ枠の再販を可能にすることある。
【００１６】
【課題を解決するための手段】
本発明に係る情報提供システムは、コンテンツデータ毎に生成される整理情報が付加されて編成された番組本体データと補助素材群の組合せからなるマルチメディアコンテンツ群によるコンテンツデータとして連続ストリーミングを送出する送信サーバ機能部と、上記送信サーバ機能部から上記コンテンツデータとして送られてくる連続ストリーミングを受信する機能と、受信した番組本体データ及び補助素材の記録機能と、上記番組本体データ及び補助素材に附属された整理情報の記録機能と、選択されたコンテンツデータの再生開始が指示されると、上記コンテンツデータに係る番組本体データ及び補助素材に附属する整理情報を端末識別情報とともに送出する機能を備える端末機能部と、上記端末機能部のプロファイルデータを管理し、上記端末機能部から送出された整理情報と端末識別情報に基づいて、上記端末機能部で選択された上記コンテンツデータに係る番組本体データに組み合わされた補助素材の変更の有無を検出し、変更された補助素材がある場合に上記補助素材の変更指示を上記端末機能部に対して行う処理サーバ機能部とからなり、上記端末機能部は、上記処理サーバ機能部から補助素材の変更指示を受信すると、上記補助素材の再生を開始する前に、上記変更指示にしたがって上記コンテンツデータに係る番組本体データに組み合わされる補助素材を変更して上記コンテンツデータを再編成する再編成機能を有することを特徴とする。
【００２３】
また、本発明は、コンテンツデータ毎に生成される整理情報が付加されて編成された番組本体データと補助素材群の組合せからなるマルチメディアコンテンツ群によるコンテンツデータとして連続ストリーミングを情報端末装置に送出する機能と、上記情報端末装置のプロファイルデータを管理し、上記情報端末装置から送出された整理情報と端末識別情報に基づいて、上記情報端末装置で選択された上記コンテンツデータに係る番組本体データに組み合わされた補助素材の変更の有無を検出し、変更された補助素材がある場合に上記補助素材の変更指示を上記情報端末装置に対して行う機能を有する情報サーバ装置を備える情報提供システムにおける情報端末装置であって、 上記情報サーバ装置から上記コンテンツデータとして送られてくる連続ストリーミングを受信する機能と、受信した番組本体データ及び補助素材の記録機能と、上記番組本体データ及び補助素材に附属された整理情報の記録機能と、選択されたコンテンツデータの再生開始が指示されると、上記コンテンツデータに係る番組本体データ及び補助素材に附属する整理情報を端末識別情報とともに送出する機能と、上記情報サーバ装置から補助素材の変更指示を受信すると、上記補助素材の再生を開始する前に、上記変更指示にしたがって上記コンテンツデータに係る番組本体データに組み合わされる補助素材を変更して上記コンテンツデータを再編成する再編成機能とを有することを特徴とする。
【００２４】
また、本発明は、情報サーバ装置からコンテンツデータ毎に生成される整理情報が付加されて編成された番組本体データと補助素材群の組合せからなるマルチメディアコンテンツ群によるコンテンツデータとして送られてくる連続ストリーミングを受信する機能と、受信した番組本体データ及び補助素材の記録機能と、上記番組本体データ及び補助素材に附属された整理情報の記録機能と、選択されたコンテンツデータの再生開始が指示されると、上記コンテンツデータに係る番組本体データ及び補助素材に附属する整理情報を端末識別情報とともに送出する機能と、上記情報サーバ装置から補助素材の変更指示を受信すると、上記補助素材の再生を開始する前に、上記変更指示にしたがって上記コンテンツデータに係る番組本体データに組み合わされる補助素材を変更して上記コンテンツデータを再編成する再編成機能とを有する情報端末装置を備える情報提供システムにおける情報サーバ装置であって、コンテンツデータ毎に生成される整理情報が付加されて編成された番組本体データと補助素材群の組合せからなるマルチメディアコンテンツ群によるコンテンツデータとして連続ストリーミングを情報端末装置に送出する機能と、上記情報端末装置から上記整理情報と端末識別情報を受信する機能と、上記情報端末装置のプロファイルデータを管理し、受信した整理情報と端末識別情報に基づいて、上記情報端末装置で選択された上記コンテンツデータに係る番組本体データに組み合わされた補助素材の変更の有無を検出する機能と、変更された補助素材がある場合に上記補助素材の変更指示を上記情報端末装置に対して行う機能とを有することを特徴とする。
【００２５】
さらに、本発明は、情報提供方法であって、送信サーバ機能部からコンテンツデータ毎に生成される整理情報が付加されて編成された番組本体データと補助素材群の組合せからなるマルチメディアコンテンツ群によるコンテンツデータとして連続ストリーミングを送出し、上記コンテンツデータとして送られてくる連続ストリーミングを受信し、受信した番組本体データ及び補助素材を記録するとともに上記番組本体データ及び補助素材に附属された整理情報を記録し、選択されたコンテンツデータの再生開始が指示されると、上記コンテンツデータに係る番組本体データ及び補助素材に附属する整理情報を端末識別情報とともに送出する機能を有する情報端末装置に対して、処理サーバ機能部により、上記情報端末装置のプロファイルデータを管理し、上記情報端末装置から送出された整理情報と端末識別情報に基づいて、上記情報端末装置で選択された上記コンテンツデータに係る番組本体データに組み合わされた補助素材の変更の有無を検出し、変更された補助素材がある場合に上記補助素材の変更指示を行い、上記情報端末装置において、上記処理サーバ機能部から補助素材の変更指示を受信すると、上記補助素材の再生を開始する前に、上記変更指示にしたがって上記コンテンツデータに係る番組本体データに組み合わされる補助素材を変更して上記コンテンツデータを再編成することを特徴とする。
【００２６】
【発明の実施の形態】
以下、本発明の実施の形態について図面を参照して詳細に説明する。
【００２７】
本発明は、例えば図１に示すような構成の情報提供システム５０に適用される。この情報提供システム５０は、放送用番組クリップと放送用ＣＭクリップの組合せからなるコンテンツデータを連続ストリーミングとして送出する放送局１と、上記放送局１から連続ストリーミングを受信する情報端末装置２と、上記情報端末装置２がインターネットなどのネットワークを介して接続される追加クリップサーバ装置３などにより構成されている。
【００２８】
この情報提供システム５０において、上記放送局１には、コンテンツクリップ（番組）提供者４により予め編成された番組本体データが上記放送用番組クリップとして配布される。また、上記放送局１には、ＣＭスポンサ６による依頼に基づいて広告代理店７からのＣＭ作成の発注に応じてコンテンツクリップ（ＣＭ）提供者５により作成された補助素材データ群が放送用ＣＭクリップとして配布される。
【００２９】
上記放送用番組クリップ及び放送用ＣＭクリップを構成する番組本体データ及び補助素材データにはそれぞれ属性が定義され、番組本体データ及び補助素材データにそれそれぞれ属性データが附属されている。
【００３０】
そして、上記放送局１は、上記予め編成された番組本体データからなる放送用番組クリップと上記補助素材群からなる放送用ＣＭクリップの組合せからなるマルチメディアコンテンツ群によるコンテンツデータを連続ストリーミングとして送出する。
【００３１】
上記放送局１から送られてくる連続ストリーミングを受信する情報端末装置２は、上記放送局１から送られてくる連続ストリーミングを受信して半導体メモリやハードディスクなどのランダムアクセス再生が可能な記録媒体に保存する図２に示すような構成の記録再生装置１０からなる。
【００３２】
すなわち、この記録再生装置１０は、録画結果保存部１１、個人プロファイル保存部１２、ユーザ機器プロファイル保存部１３、適用プロファイル生成部１４、再編成検討部１５、ダウンロード機能部１６、最終構成部１７やコンテンツ再生部１８等からなる。また、この記録再生装置１０は、出力装置１９が接続されている。
【００３３】
上記録画結果保存部１１は、録画本体保存部１１Ａと録画属性保存部１１Ｂからなり、上記放送局１から送られてくる連続ストリーミングを受信することにより得られた放送用番組クリップ及び放送用ＣＭクリップを上記録画本体保存部１１Ａに保存するとともに、上記録画本体保存部１１Ａに保存した放送用番組クリップ及び放送用ＣＭクリップに附属する各属性データを録画属性保存部１１Ｂに保存する。
【００３４】
上記個人プロファイル保存部１２には、視聴者の名前、年齢、性別、職業、趣味などのユーザのプロファイルデータを保存する。
【００３５】
上記ユーザ機器プロファイル保存部１３には、記録再生装置１０の設置住所、設置場所、時刻などのプロファイルデータを保存する。
【００３６】
上記適用プロファイル生成部１４は、上記個人プロファイル保存部１２に保存されているユーザのプロファイルデータと上記ユーザ機器プロファイル保存部１３に保存されているユーザ機器のプロファイルデータを演算することにより、適用プロファイルデータを生成する。
【００３７】
上記再編成検討部１５は、上記録画結果保存部１１に録画されているコンテンツクリップすなわち放送用番組クリップ及び放送用ＣＭクリップの属性と上記適用プロファイル生成部１４により生成された適用プロファイルデータの比較演算を行い、その演算結果に基づいて、コンテンツクリップの再生順を変更するとともに、不足しているコンテンツクリップすなわち追加すべきコンテンツクリップの種類を判別し、インターネットなどのネットワーク２０を介して追加クリップサーバ装置３に追加すべきコンテンツクリップの種類を通知して、ダウンロード機能部１６により追加クリップサーバ装置３から追加すべきコンテンツクリップをオンデマンドでダウンロードする。
【００３８】
上記最終構成部１７は、上記ダウンロード機能部１６によりダウンロードした追加コンテンツクリップを含めて再生順を再編成して、最終編成を構成する。
【００３９】
そして、上記コンテンツ再生部１８は、上記最終構成部１７により構成された最終編成に従って、上記録画結果保存部１１及び上記ダウンロード機能部１６から放送用番組クリップ、放送用ＣＭクリップ及び追加コンテンツクリップを読み出し、コンテンツデータに含まれていた音声・画像あるいはプログラムを再生して、スピーカ、モニター装置或いはデータ処理装置などからなる出力装置１９に出力する。
【００４０】
すなわち、この記録再生装置１０は、属性とプロファイルとの関係によって制御され、オンデマンドでの追加クリップの導入を許可／不許可する機能を有する。そして、許可の場合には、入替え対象のクリップが持つ属性とプロファイルの関係から指定されるカスタマイズされたコンテンツクリップ及びその属性をインターネットなどのネットワーク２０経由で追加クリップサーバ装置３から取り込むことができるようになっている。また、この記録再生装置１０は、一連のクリップ群の属性群に対してマクロな支配関係を記述できるスクリプトを持たせ、例えばクリップＡをクリップＢに変更するなら後に続くクリップＣは自動的に削除するなどの指定を行うことができるようになっている。
【００４１】
ここで、上記追加クリップサーバ装置３には、上記コンテンツクリップ（番組）提供者４により追加番組本体データが上記追加番組クリップとして配布されるとともに上記コンテンツクリップ（ＣＭ）提供者５により追加補助素材群が追加ＣＭクリップとして配布される。上記放送用番組クリップ及び放送用ＣＭクリップを構成する番組本体データ及び補助素材データにはそれぞれ属性が定義され、番組本体データ及び補助素材データにそれそれぞれ属性データが附属されている。
【００４２】
上記追加クリップサーバ装置３は、追加クリップ本体保存部３１と追加クリップ属性保存部３２からなる追加クリップ保存部３０を備え、上記コンテンツクリップ（番組）提供者４及び上記コンテンツクリップ（ＣＭ）提供者５により配布された追加番組クリップ及び追加ＣＭクリップを上記追加クリップ本体保存部３１に保存するとともに、上記追加クリップ本体保存部３１に保存した追加番組クリップ及び追加ＣＭクリップに附属する各属性データを追加クリップ属性保存部３２に保存している。そして、この追加クリップサーバ装置３は、上記情報端末装置２の記録再生装置１０からインターネットなどのネットワーク２０を介して追加すべきコンテンツクリップの種類が通知されると、追加コンテンツクリップ検索部３０により上記追加クリップ保存部３１に保存されている追加コンテンツクリップを探し出し、追加コンテンツクリップ伝送部３３から上記インターネットなどのネットワーク２０を介して上記情報端末装置２に追加コンテンツクリップを伝送する。
【００４３】
ここで、この情報提供システム５０において、上記追加クリップサーバ装置３は、管理者機能を有し、上記情報端末装置２から上記最終編成に従った最終的な再生結果がネットワーク２０経由で送られてくるようになっており、管理者機能により受け取った結果を集計し、入替え事実の把握を自動的に行って広告代理店７に通知することにより、ＣＭなどのスポンサ６群に対して清算処理を行う。
【００４４】
なお、上記ユーザ機器のプロファイルの実体を上記追加クリップサーバ装置３側で管理し、各ユーザ機器は割り当てられたＩＤ番号のみを管理者機能にネットワーク２０経由で送ることで、属性とプロファイルに関わる演算を管理者機能側ですべて代行し、ユーザ機器すなわち情報端末装置２は、最終的な再生順のみを受信するようにしてもよい。この場合、上記ＩＤ番号あるいはプロファイルデータをカード型メモリなどのリムーバルな記録媒体に入れて移動可能となすことにより、上記リムーバルな記録媒体に入れたＩＤ番号あるいはプロファイルデータを他の情報端末装置２でも使用できる。上記ＩＤ番号あるいはプロファイルデータを入れたリムーバルな記録媒体が装着される他の情報端末装置２では、既に別なプロファイルが設定されている場合、他人のプロファイルの入った記録媒体が装着されると、一時的に元のプロファイルとそれによって導入されたオンデマンドコンテンツや再生順などの情報は記憶領域の別の部分に待避し、上記記録媒体によって持ち込まれたプロファイルに基づいて再度再生順等を演算して定義するものとする。そして、上記他人のプロファイルの入った記録媒体が取り外されたときには、自動的に元の状況に復帰し、プロファイルも元のものが適用されるものとする。
【００４５】
このような構成の情報提供システム５０では、例えば、以下に説明するようなＣＭ入替えを行うことができる。
【００４６】
ここで、１１月１日〜１２月２４日の期間に行われる売出しを告知するＣＭを「ＣＭ１２２４」と呼ぶ。また、１２月２５日〜１月２０日の期間に行われるバーゲンを告知するＣＭを「ＣＭ０１２０」と呼ぶ。また、所得が１０万ドル以上、対象年齢３０歳以上の視聴者に流すための特別ＣＭを「ＣＭ１０万」と呼ぶ。また、所得が１０万ドル以下の世帯に視聴者に流すためのＣＭを「ＣＭ００万」と呼ぶ。さらに、番組の実体の最初の部分を番組Ｐａｒｔ１、その次を番組Ｐａｒｔ２と呼ぶ。
【００４７】
そして、１２月２０日のオリジナルの放送は、番組Ｐａｒｔ１、ＣＭ１２２４、番組Ｐａｒｔ２、ＣＭ００万本体、ＣＭ０１２０の順に行われたとする。
【００４８】
「ＣＭ１２２４」には属性（有効期限：１１月１日〜１２月２４日、入替え促進）が与えられており、この属性データが放送用ＣＭクリップ「ＣＭ１２２４」とともに放送されたとする。
【００４９】
また、上記「ＣＭ０１２０」には属性（有効期限：１２月２５日〜０１月２０日、入替え促進）が与えられており、この属性データが放送用ＣＭクリップ「ＣＭ０１２０」とともに放送されたとする。
【００５０】
また、上記「ＣＭ００万」には、属性（対象所得１０ドル以下、対象年齢無制限、入替え促進、オンデマンドスワップ促進）が与えられており、この属性データが放送用ＣＭクリップ「ＣＭ００万」とともに放送されたとする。
【００５１】
さらに、「番組Ｐａｒｔ１」及び「番組Ｐａｒｔ２」には属性（ｎｉｌ）が与えられており、この属性データが放送用番組クリップ「番組Ｐａｒｔ１」，「番組Ｐａｒｔ２」とともに放送されたとする。
【００５２】
上記１２月２０日のオリジナルの放送を受信した情報端末装置２では、放送用番組クリップ及び放送用ＣＭクリップすなわち番組Ｐａｒｔ１本体、ＣＭ１２２４本体、番組Ｐａｒｔ２本体、ＣＭ１００万本体、ＣＭ１２０本体等を上記記録再生装置１０の録画本体保存部１１Ａに保存するとともに、上記録画本体保存部１１Ａに保存した放送用番組クリップ及び放送用ＣＭクリップに附属する各属性データすなわち番組Ｐａｒｔ１属性、ＣＭ１２２４属性、番組Ｐａｒｔ２属性、ＣＭ１００万属性、ＣＭ０１２０属性等を録画属性保存部１１Ｂに保存する。
【００５３】
ここで、上記記録再生装置１０の個人プロファイル保存部１２には、プロファイルＡとして、例えば、
デフォルト地域：マンハッタン
使用者の名前  ：ＡＡＡ
年齢：４２歳
性別：男性
職業：エンジニア
所得：１１万ドル
趣味：音楽、映画
年齢情報伝送：可能
オンライン受信：可能
などのプロファイルデータが保存されているものとする。なお、上記個人プロファイル保存部１２には、複数のプロファイルを保存することが許されている。
【００５４】
また、上記記録再生装置１０のユーザ機器プロファイル保存部１３には、プロファイル１として、例えば、
時刻：タイマからの逐次検出
設置住所：居間
設置場所：ニューヨーク州、ニューヨーク、・・・マジソン通り
などのユーザ機器のプロファイルデータが保存されているものとする。
【００５５】
そして、この情報端末装置２の記録再生装置１０により上記１２月２０日のオリジナルの放送を録画した内容の再生操作を視聴者ＡＡＡが例えば１２月２６日に行ったとする。
【００５６】
上記情報端末装置２の記録再生装置１０は、再生操作が行われると、上記適用プロファイル生成部１４において、上記個人プロファイル保存部１２に保存されているプロファイルＡのプロファイルデータと上記ユーザ機器プロファイル保存部１３に保存されているプロファイル１のプロファイルデータの例えば和集合を演算することにより、適用プロファイルデータを生成し、上記再編成検討部１５において、上記録画結果保存部１１に録画されているコンテンツクリップすなわち放送用番組クリップ及び放送用ＣＭクリップの属性を上記適用プロファイル生成部１４により生成された適用プロファイルデータと比較検討し、その結果に基づいて、コンテンツクリップの再生順を変更するとともに、不足しているコンテンツクリップすなわち追加すべきコンテンツクリップの種類を判別し、ダウンロード機能部１６によりインターネットなどのネットワーク２０を介して追加クリップサーバ装置３から追加すべきコンテンツクリップをオンデマンドでダウンロードする。
【００５７】
この例では、２番目のクリップとして録画された「ＣＭ１２２４」は、その属性を適用プロファイルデータと比較検討した結果、期限切れと判断され、かつ、入替え促進なので、２６日でも有効な「ＣＭ０１２０」が繰り上げられて配置される。
【００５８】
また、この例では、適用プロファイルの所得が１０万ドルを越え、所得情報伝送可能で、かつ、オンライン受信可能になっており、各クリップの属性のうち「ＣＭ００万」は入替え促進かつオンデマンドスワップ促進になっているので、番組Ｐａｒｔ１等を再生しながら、同時にネットワーク２０経由で追加クリップサーバ装置３にアクセスして「ＣＭ００万」と入れ替える適当なクリップを検索し、その結果として「ＣＭ１４０万」をネットワーク２０経由で上記追加クリップサーバ装置３からダウンロードする。
【００５９】
そして、上記最終構成部１７において、上記ダウンロード機能部１６によりダウンロードした追加コンテンツクリップを含めて再生順を再編成して構成された最終編成に従って、コンテンツ再生部１８により上記録画結果保存部１１及び上記ダウンロード機能部１６から放送用番組クリップ、放送用ＣＭクリップ及び追加コンテンツクリップを読み出して再生する。
【００６０】
上記コンテンツ再生部１８では、番組Ｐａｒｔ１、ＣＭ０１２０、番組Ｐａｒｔ２、オンデマンドＣＭ１０万の順に再生される。
【００６１】
なお、上記コンテンツ再生部１８では、このようにして入れ替えられたコンテンツを再生する場合、その旨を示す情報を出力装置１９に出力することもできる。また、どのプロファイル情報に基づいてクリップが変更・選択されたのかを知ることもできる。
【００６２】
また、この情報提供システム５０において、上記情報端末装置２は上記最終編成に従った最終的な再生結果をネットワーク２０経由で管理者機能を有する追加クリップサーバ装置３に送る。
【００６３】
そして、追加クリップサーバ装置３では、管理者機能により受け取った結果を集計し、入替え事実の把握を自動的に行って広告代理店７に通知する。これにより、広告代理店７やスポンサ６等は、入替え頻度などに基づいて必要な課金などの清算処理を行う。
【００６４】
この情報提供システム５０では、管理者機能を有する追加クリップサーバ装置３により、上記情報端末装置２側で再生順が変更された結果を管理し、再販結果を自動集計して元のＣＭスポンサ６との間で清算処理を行うことができる。したがって、ＣＭなどの提供者は、一度自分が提供したＣＭが期限切れになっても、その枠を第３者に再販する機会が与えられ、損失を最小にするとどめることができる。また、この情報提供システム５０では、管理者機能によりプロファイルデータを管理することで、ユーザ機器の買換えにも対応することができる。さらに、ユーザ全体のプロファイルデータを上記管理者機能により管理することで、実際の放送前にシミュレーションができ、ＣＭ販売枠の価格再設定などを自動的の行うことも可能となる。
【００６５】
また、このような構成の情報提供システム５０では、情報端末装置２側で各番組本体データ及び各補助素材に附属する各属性データとユーザ及びユーザ機器のプロファイルデータの演算により、コンテンツデータの順番を入れ替えた新たな編成を構築することができるので、放送時の編成と再生時の編成を意図的に変更することができ、再生時に視聴者の希望に沿った内容のクリップに差し替えたり、その瞬間に視聴者にアピールしたい内容のクリップに差し替えて再生することができる。また、情報端末装置２側で上記属性データとプロファイルデータの演算結果に基づいて、追加クリップサーバ装置３に対して、オンデマンドで追加コンテンツデータを要求し、上記追加コンテンツデータを取り込むことができるので、再生時刻やユーザの生活スタイルなどに合わせてカスタマイズした情報を取り込むことができる。これにより、放送時には伝えきれない精度の高い情報をユーザに提供することができ、しかも、ユーザは、通常の放送番組を見る場合と差異がなく、違和感なく番組を楽しむことができる。
【００６６】
すなわち、この情報提供システム５０では、例えば、タイマーカレンダー情報をプロファイルに反映させ、期限切れのＣＭを差し替えることができる。また、住んでいる地域情報をプロファイルに反映させ、全国版ＣＭを地方版ＣＭに差し替えることができる。また、収入情報をプロファイルに反映させ、高額商品のＣＭを控える（増やす）ようにＣＭを差し替えることができる。また、タイマーカレンダー情報をプロファイルに反映させ、桜前線を追いかけた結果から案内する地域を差し替える花見旅行番組や、例えば、３月には補助素材部分が九州の案内だったが４月には東北の案内に指し変わるような旅行案内番組を送出することができる。この場合、旅行代理店の受付電話番号やバスの乗り場などは番組本体部分にあって共通に使用する。また、旅行予定としている地域名をプロファイルに反映させ、ＣＭを地方版観光案内ＣＭに差し替えることができる。この場合、趣味や興味のある土地としてプロファイルに入力がある場合にそれと属性をマッチングさせることになる。また、所得状況や年収をプロファイルに反映させ、確定申告の仕方というガイド番組で、年収の違う人用の教材入替え、不動産所得があった人用の教材入替え、退職金収益のあった人用の教材入替えを行うことができる。また、役職タイトルをプロファイルに反映させ、就業規則の共通部分は共通にし、一般社員用と管理者用の部分教材を入れ替えてある番組を送出することができる。また、購入した株式や投資信託の情報をプロファイルに反映させ、注目株式の情報（補助素材）が先に見られるように挿入、再編成された株式情報番組を送出することができる。また、ひいきの野球チームの情報をプロファイルに反映させ、ひいきチームの情報（補助素材）がメインに据えられるように挿入されたスポーツ情報番組を送出することができる。また、子供の誕生日を入力しておいて、プロファイルに反映させ教育番組中に、年齢に応じた補習教材を挿入する教育番組を送出することができる。また、よく見る歌番組の傾向を自動解析しプロファイルに反映させ好きなジャンルの曲がたくさん組み合わされるようなＢＧＭ番組を送出することができる。さらに、よく乗るエアラインの傾向を自動解析し、プロファイルに反映させ、そのエアラインの順番でタイムテーブルがスクロールするような旅程計画のためのタイムテーブルを表示する情報（番組）を送出することができる。さらに、この情報提供システム５０では、プロファイルに入れるデータを自動更新したり、自動解析したりダイナミックなものにすることにより各種応用が可能である。
【００６７】
また、上記情報端末装置２は、プロファイルデータを入れたリムーバルな記録媒体を装着することにより、他人の環境を即座に自分の環境に変更することができる。そして、上記プロファイルデータを一時的に他のプロファイルデータに置き換え可能な記憶機能を備えることにより、上記他人のプロファイルの入った記録媒体が取り外されたときには、自動的に元の状況に復帰することができる。
【００６８】
上述の情報提供システム５０では、情報端末装置２側で各番組本体データ及び各補助素材に附属する各属性データとユーザ及びユーザ機器のプロファイルデータの演算により、コンテンツデータの順番を入れ替えた新たな編成を構築するようにしたが、例えば、図３に示すような構成とすることにより、放送時の編成と再生時の編成を意図的に変更可能な情報提供システム１００を構築することができる。
【００６９】
この図３に示す情報提供システム１００は、予め整理情報が付加されて編成された番組本体データと補助素材群の組合せからなるマルチメディアコンテンツ群によるコンテンツデータとして連続ストリーミングを送出する送信サーバ１１０と、上記送信サーバ１１０から連続ストリーミングを受信する情報端末装置１２０と、上記情報端末装置１２０がインターネットなどのネットワークを介して接続される処理サーバ１３０などにより構成されている。
【００７０】
この情報提供システム１００において、上記送信サーバ１１０は、番組本体データと補助素材群の組合せからなるコンテンツデータ（番組本体＋補助素材）を蓄積したコンテンツデータ蓄積装置１１１と、このコンテンツデータ蓄積装置１１１から読み出されるコンテンツデータに付与する整理情報を生成する整理情報付与装置１１２と、上記コンテンツデータ蓄積装置１１１から読み出されたコンテンツデータ（番組本体＋補助素材）に上記整理情報付与装置１１２により与えられる整理情報を附属させ、上記整理情報を附属させたコンテンツデータを上記コンテンツデータ送出装置１１３から情報端末装置１２０に送出するコンテンツデータ送出装置１１３からなる。
【００７１】
上記送信サーバ１１０において、上記コンテンツデータ蓄積装置１１１から読み出されるコンテンツデータには、上記コンテンツデータ送出装置１１３に入力される前に番組整理番号が付与される。
【００７２】
すなわち、上記整理情報付与装置１１２では、例えば図４に示すように、番組本体と補助素材からなる各コンテンツデータＡ，Ｂ，Ｃがある場合、番組内容管理装置１１２Ａにより各コンテンツデータＡ，Ｂ，Ｃが過去に登録された内容と同じか否かを判別し、新規内容のコンテンツデータここではコンテンツデータＡ，Ｃに対して新番号の割当て装置１１２Ｂにより新規の番組整理番号Ａ，Ｃを生成して割り当て、また、過去に同一の内容のコンテンツデータが登録されていたコンテンツデータここではコンテンツデータＢに対して旧番号の割当て装置１１２Ｃにより既存の番組整理番号Ｂを再割当てする。
【００７３】
そして、上記整理情報付与装置１１２では、このようにして割り当てられた番組整理番号は、図５に示すように、返信アドレス送出装置１１２Ｄにより与えられる当該処理サーバ１３０のアドレス（返信アドレス）を合わされて、整理情報とされる。
【００７４】
ここで、各コンテンツデータＡ，Ｂ，Ｃの整理情報Ａ，Ｂ，Ｃの生成の手順を図５中にＳ１〜Ｓ９にて示してあるように、整理情報は、整理情報生成装置１２Ｅにより、送り出し直前のコンテンツデータ毎に生成される。そして、生成された整理情報は、図４に示したコンテンツデータ（番組本体＋補助素材）と合わされて、図６に示すように上記送信サーバ１１０からユーザの情報端末装置１２０に送られる。なお、上記送信サーバ１１０は、整理情報を附属したコンテンツデータ（番組本体＋補助素材）を、マルチキャスト又は放送のように一度に多数の同一信号として送出しても良いし、オンデマンドで個々に個別の信号（コンテンツ）として別々に送出しても良い。
【００７５】
この情報提供システム１００において、上記情報端末装置１２０は、上記送信サーバ１１０から連続ストリーミングを受信して半導体メモリやハードディスクなどのランダムアクセス再生が可能な記録媒体に保存する記録再生装置１２１からなる。この記録再生装置１２１は、上記送信サーバ１１０から送られてくる連続ストリーミングを受信することにより得られたコンテンツデータ（番組本体＋補助素材）と番組整理番号のペア群を蓄積しておき、再生操作時に、再生するコンテンツデータ（番組本体＋補助素材）に対応する番組整理番号を当該記録再生装置１２１を示す記録再生機ＩＤ情報とともにインターネットなどのネットワークを介して上記処理サーバ１３０に送る。
【００７６】
上記記録再生装置１２１では、図７に示すように、上記送信サーバ１１０から送られてくる連続ストリーミングを受信することにより得られたコンテンツデータ（番組本体＋補助素材）と整理情報を第１の分離装置１２１Ａにより分離し、さらに、この第１の分離装置１２１Ａにより分離された整理情報に含まれている番組整理番号と返信アドレスを第２の分離装置１２１Ｂにより分離して、上記コンテンツデータ（番組本体＋補助素材）と番組整理番号と返信アドレスをコンテンツ記録装置１２１Ｃ、番組整理番号記録装置１２１Ｄ及び返信アドレス記録装置１２１Ｅに記録する。上記コンテンツデータ（番組本体＋補助素材）と番組整理番号と返信アドレスの互いの関係を維持する情報は、上記番組整理番号記録装置において共有する。
【００７７】
なお、返信アドレスを毎回は送らずに、記録再生装置１２１は自分で同調しているチャンネル番号などを読み出し、そのチャンネル番号などに固定された割り振られた決まった返信アドレスにいつも返信するという手段を採用することもできる。この場合でも、チャンネル番号など自己内部に持つ返信アドレスを求めるためのキーに対して、一度は（初期値として）返信アドレスの登録が必要である。この登録のためは、例えば、別途送信サーバから登録用の整理情報のサブセット（内容は返信アドレスのみ）を送信すればよい。
【００７８】
さらに、上記記録再生装置１２１は、図８に示すように、コンテンツ記録装置１２１Ｃに蓄積されているコンテンツデータからユーザがコンテンツのタイトルリストなどを用いて所望のコンテンツデータの選択する番組選択機能１２１Ｆを備え、この番組選択機能１２１Ｆによりコンテンツデータを選択し（Ｓ１１）、図示しない再生ボタンが押されてコンテンツデータの再生開始が指示されることによって（Ｓ１２）、コンテンツ記録装置１２１Ｃから読み出されたコンテンツデータのデコーダによるデコードを開始して（Ｓ１３）、上記コンテンツデータに含まれていた音声・画像あるいはプログラムを再生する。
【００７９】
また、上記記録再生装置１２１は、上記コンテンツデータの再生開始が指示されると、上記コンテンツ記録装置１２１Ｃから再生するコンテンツデータを読み出すとともに（Ｓ１４）、ＩＤ情報保管部１２１Ｇから当該記録再生装置１２１を示す記録再生機ＩＤ情報を読み出し（Ｓ１５）、さらに、上記返信アドレス記録装置１２１Ｆから返信アドレスを読み出して（Ｓ１６）、この返信アドレスに基づいて通信制御機能１２１Ｈにより返信先アドレスに回線接続を行い（Ｓ１７）、上記番組整理番号記録装置１２１Ｄから読み出した番組整理番号と上記ＩＤ情報保管部１２１Ｇから読み出した記録再生機ＩＤ情報をインターネットなどのネットワークを介して上記処理サーバ１３０に送る返信先アドレスへの送信処理をデータ通信機能１２１Ｉにより行う（Ｓ１８）。
【００８０】
この情報提供システム１００において、上記処理サーバ１３０は、図３に示すように、上記記録再生装置１２１から受信した整理情報と記録再生機ＩＤ情報に基づいて改訂補助素材の確認処理を行う改訂補助素材確認処理装置１３１と、この改訂補助素材確認処理装置１３１よる変更指示に従って改訂補助素材を上記記録再生装置１２１に送出する改訂補助素材送出装置１３２と、オプションの演算処理装置１３３とからなる。
【００８１】
上記処理サーバ１３０の改訂補助素材確認処理装置１３１では、図９に示すように、上記記録再生装置１２１から返信されてくる番組整理番号と記録再生機ＩＤ情報を受信し、分離関連付け機能１３１Ａにより、上記番組整理番号と記録再生機ＩＤ情報を分離し、関連付けして番組整理番号記録装置１３１Ｂ及び記録再生機ＩＤ情報記録装置１３１Ｃに記録して、番組整理番号と記録再生機ＩＤ情報に基づいて改訂補助素材の確認処理を行う。すなわち、上記改訂補助素材確認処理装置１３１は、上記視聴者の名前、年齢、性別、職業、趣味などのユーザのプロファイルデータや、ユーザが使用している情報端末装置１２０の記録再生装置１２１の設置住所、設置場所、時刻などのプロファイルデータを管理しており、上記番組整理番号と記録再生機ＩＤ情報に基づいて改訂補助素材の確認処理を行う。
【００８２】
また、上記処理サーバ１３０の改訂補助素材送出装置１３２は、上記改訂補助素材確認処理装置１３１よる変更指示に従って改訂補助素材を上記記録再生装置１２１に送出するとともに、再生順が変更された結果を管理し、その結果を清算機能部１５０に通知する。これにより、清算機能部１５０では、ユーザすなわち情報端末装置１２０の使用者や、番組提供者との間で清算処理を行う。
【００８３】
なお、上記処理サーバ１３０に備えられたオプションの演算処理装置１３３は、上記改訂補助素材確認処理装置１３２により管理されているプロファイルデータとを上記改訂補助素材送出装置１３２により与えられる改訂補助素材の属性とを比較演算することにより、新たな編成を構築してその再生順序を送信する上記記録再生装置１２１に送出することができる。
【００８４】
そして、この処理サーバ１３０では、図１０に示すような仕組みによりネットワーク経由で補助素材の変更指示と改訂補助素材を記録再生装置１２１に送出する。
【００８５】
ここで、図１０において、Ｔ１，Ｔ２，ＴＢ及びＴＡは、初回送り出し用コンテンツの管理ＴＢと送り出しＴＡの手順を示している。
【００８６】
すなわち、初回番組作成を行うオーサリング機構１４１により初回送り出し用コンテンツデータ（番組本体＋補助素材）が供給されると（Ｔ１）、この初回送り出し用コンテンツデータは、上述の整理情報付与装置１１２により番組整理番号が割り付けられ、この番組整理番号とともにコンテンツデータ記憶装置１１１に蓄積されて管理される（ＴＢ）。また、上記番組整理番号が割り付けられた初回送り出し用コンテンツデータは、送出番組としてネットワーク経由で各情報端末装置１２０に送信される（ＴＡ）。
【００８７】
また、図１０において、Ｔ３及びＴ４は、初回送り出し以後、改訂・補充・削除があった場合の手順を示している。
【００８８】
すなわち、更新時の改訂・補充・削除用番組作成を行うオーサリング機構１４２から改訂補助素材が供給されると（Ｔ３）、この改訂補助素材は、上記整理情報付与装置１１２により番組整理番号が割り付けられ、番組整理番号とともに上記コンテンツデータ記憶装置１１１に蓄積されて管理されることにより、新番組整理番号とそこに含まれる番組整理番号及び旧番組整理番号との関係を示す情報を与える（Ｔ４）。
【００８９】
ここでは、上記初回番組作成を行うオーサリング機構１４１により初回送り出し用コンテンツデータ（番組本体＋補助素材）として、例えば図１１に示すような番組編成（番組整理番号１２Ｂ９９１１０３２１００）の番組が編成されたとする。この番組のコンテンツデータは、上記送信サーバ１１０からネットワーク経由で送信され（ＴＡ）、情報端末装置１２０の記録再生装置１２１に記録される。また、上記番組のコンテンツデータは、処理サーバ中のアーカイブシステムに登録され、その後の更新操作などを受ける（ＴＢ）。
【００９０】
なお、上記番組（番組整理番号１２Ｂ９９１１０３２１００）の整理番号構成は、１２Ｂｐａｒｔ１，ＳＭ５０１，１２Ｂｐａｒｔ２，ＳＭ５０２，１２Ｂｐａｒｔ３，ＳＭ５０３，１２Ｂｐａｒｔ４，ＳＭ５０４，ＳＭ５０５・・・のように記述されるものとする。
【００９１】
そして、上記番組整理番号１２Ｂ９９１１０３２１００が情報端末装置１２０の記録再生装置１２１に記録されてはいるが、サーバ側では既に更新を受け付けて本来の新しい番組編成が図１２に示すようになっていると仮定する。
【００９２】
すなわち、更新編成は、
１）場所移動（ＳＭ５０１，ＳＭ５０２は入れ替わり）
２）改訂（ＳＭ５０３をＳＭ５０３Ｒに差し替え）
３）削除（ＳＭ５０４は削除）
となる。
【００９３】
この場合の整理番号編成は、１２Ｂｐａｒｔ１，ＳＭ５０２，１２Ｂｐａｒｔ２，ＳＭ５０１，１２Ｂｐａｒｔ３，ＳＭ５０３Ｒ，１２Ｂｐａｒｔ４，ＳＭ５０５・・・のように記述される。この編成には新番組整理番号１２Ｂ９９１１０３２１００ＲＥが割り振られているとする。
【００９４】
また、上記コンテンツデータ記憶装置１１１には、図１３に示すような内容の（１）受信記録データベース、（２）改訂対照表データベース、（３）番組編成表データベース、（４）番組本体・補助素材実体データからなるデータベースが構築されているものとする。
【００９５】
そして、図１０において、Ｔ５以降は、情報端末装置１２０からネットワーク経由で番組整理番号と記録再生機ＩＤ情報が処理サーバに送られてきた場合の手順を示している。
【００９６】
すなわち、処理サーバ１３０では、情報端末装置１２０から送られてきた番組整理番号と記録再生機ＩＤ情報を受信機能１３０Ａにより受信すると（Ｔ５）、受信した番組整理番号と記録再生機ＩＤ情報を分離し、記録再生機ＩＤ情報を上記コンテンツデータ記憶装置１１１に書き込み、上記記録再生機ＩＤ情報で特定される記録再生装置１２１からの番組整理番号による番組編成の問い合わせを番組編成管理装置１３０Ｂに対して行う。
【００９７】
上記番組編成管理装置１３０Ｂは、上記コンテンツデータ記憶装置１１１から新番組整理番号とそこに含まれる整理番号及び旧番整理番号との関係を示す情報を得て、改訂による編成の更新管理を行う機能を有するもので、上記番組整理番号が改訂を受けている場合、対応する新しい番組整理番号を確認機構１３０Ｃに与える。
【００９８】
上記確認機構１３０Ｃは、上記番組編成管理装置１３０Ｂにより与えられた新しい番組整理番号から差し替えや追加／削除情報を入手して、その指示と差し替え追加分の改訂補助素材の送付準備を行うために、上記組整理番号の番組編成に改訂・補充・削除を上記記録再生装置に知らせ、改訂・補充・削除の受入れ確認を行う（Ｔ６）。
【００９９】
上記番組編成管理装置１３０Ｂでは、（２）改訂対照表データベースを参照することにより、情報端末装置１２０側の記録再生装置１２１が再生しようとしている番組に改訂があるか否かを検出することができる。そして、改訂されていることを検出した場合には、（３）番組編成表データベースを参照することにより、新旧の番組内容を確認し、差分を調査して、図１４に示すように、ＳＭ５０１及びＳＭ５０２の移動、ＳＭ５０３の削除及びＳＭ５０３Ｒの挿入、ＳＭ５０４の削除及びＳＭ５０５の移動を各ＣＵＥ位置１〜５で実行させる「追加すべき補助素材、入替えの指示、削除の指示」を作成する。
【０１００】
この例では、図１０の（Ｔ６）において上記確認機構１３０Ｃにより情報端末装置１２０側の記録再生装置１２１に伝送される「改訂・補充・削除の指示」は、例えば図１５のようになる。
【０１０１】
そして、上記記録再生装置１２１からの応答がＹＥＳすなわち受入れ信号が返された場合には、改訂・補充・削除の指示と当該改訂補助素材の送付準備を行い（Ｔ７）、上記コンテンツデータ記憶装置１１１から改訂補助素材を読み出して、ネットワーク経由で更新指示と改訂補助素材を上記記録再生装置１２１に送信する（Ｔ８）。
【０１０２】
なお、上記情報端末装置１２０側の記録再生装置１２１は改訂・補充・削除の指示を拒否する権利を持っており、上記記録再生装置１２１からの応答がＮＯすなわち受入れ拒否信号が返された場合には処理を終了する。
【０１０３】
また、上記記録再生装置１２１では、図１６に示すような仕組みにより上記改訂・補充・削除の指示と改訂補助素材を受け取る。
【０１０４】
すなわち、上記記録再生装置１２１では、ユーザの操作操作に応じて上記データ通信機能１２１Ｉにより上記処理サーバ１３０に番組整理番号と記録再生機ＩＤ情報を返信することにより（Ｐ０）、上記処理サーバ１３０から改訂・補充・削除の指示と改訂補助素材が送信されると（Ｐ１）、受信分離機能１２１Ａにより改訂・補充・削除の指示と改訂補助素材を分離して、改訂補助素材はコンテンツデータ記録装置１２１Ｃに記録し（Ｐ２）、改訂・補充・削除の指示を番組整理番号記録装置１２１Ｄに記録して、番組編成に反映させる送出リストを書き換える（Ｐ３）。そして、このようにして書き換えられた送出リストに従って、番組再生制御手段１２１Ｋにより上記コンテンツデータ記録装置１２１Ｃからコンテンツデータを読み出して再生する（Ｐ４）。
【０１０５】
このような構成の情報提供システム１００では、上記処理サーバ１３０と情報端末装置１２０側の記録再生装置１２１との連繋により、ＣＭなどの補助素材の差し替えや削除を簡単に行うことができる。
【０１０６】
すなわち、上記処理サーバ１３０側では、例えば、受け取った番組整理番号から、所定の記録再生装置内には補助素材の不足部分や余剰部分があることを発見することができる。したがって、所定の記録再生装置の補助素材の改訂や追加／削除の指示を上記処理サーバ１３０側で作成し、不足している補助素材は適宜送り届けることができる。このように、処理サーバ１３０側から必要な新たな補助素材を送信し、再生直前までに差し替えを完了することができるので、情報提供システム１０では、サービスの種類を大幅に増加することができ、例えば、明日の天気予報が組み込まれた傘屋のＣＭ、特売品が入れ替わるスーパーのＣＭ、桜前線の日替わり花見案内などの各種サービスを行うことができる。また、タイマーカレンダー情報をプロファイルに反映させ、期限切れのＣＭを差し替えることができる。また、住んでいる地域情報をプロファイルに反映させ、全国版ＣＭを地方版ＣＭに差し替えることができる。また、収入情報をプロファイルに反映させ、高額商品のＣＭを控える（増やす）ようにＣＭを差し替えることができる。また、タイマーカレンダー情報をプロファイルに反映させ、桜前線を追いかけた結果から案内する地域を差し替える花見旅行番組や、例えば、３月には補助素材部分が九州の案内だったが４月には東北の案内に指し変わるような旅行案内番組を送出することができる。この場合、旅行代理店の受付電話番号やバスの乗り場などは番組本体部分にあって共通に使用する。また、旅行予定としている地域名をプロファイルに反映させ、ＣＭを地方版観光案内ＣＭに差し替えることができる。この場合、趣味や興味のある土地としてプロファイルに入力がある場合にそれと属性をマッチングさせることになる。また、所得状況や年収をプロファイルに反映させ、確定申告の仕方というガイド番組で、年収の違う人用の教材入替え、不動産所得があった人用の教材入替え、退職金収益のあった人用の教材入替えを行うことができる。また、役職タイトルをプロファイルに反映させ、就業規則の共通部分は共通にし、一般社員用と管理者用の部分教材を入れ替えてある番組を送出することができる。また、購入した株式や投資信託の情報をプロファイルに反映させ、注目株式の情報（補助素材）が先に見られるように挿入、再編成された株式情報番組を送出することができる。また、ひいきの野球チームの情報をプロファイルに反映させ、ひいきチームの情報（補助素材）がメインに据えられるように挿入されたスポーツ情報番組を送出することができる。また、子供の誕生日を入力しておいて、プロファイルに反映させ教育番組中に、年齢に応じた補習教材を挿入する教育番組を送出することができる。また、よく見る歌番組の傾向を自動解析しプロファイルに反映させ好きなジャンルの曲がたくさん組み合わされるようなＢＧＭ番組を送出することができる。さらに、よく乗るエアラインの傾向を自動解析し、プロファイルに反映させ、そのエアラインの順番でタイムテーブルがスクロールするような旅程計画のためのタイムテーブルを表示する情報（番組）を送出することができる。さらに、この情報提供システムでは、プロファイルに入れるデータを自動更新したり、自動解析したりダイナミックなものにすることにより各種応用が可能である。
【０１０７】
また、個々の番組や補助素材に属性情報を持たせなくても、処理サーバ側が属性情報を持っていれば、番組整理番号から属性を探し出すことができ、必要であれば、記録再生装置にその時々で属性を渡したり、処理サーバの指示で属性を書き換えることで、属性を途中で一斉変更することが可能となる。
【０１０８】
さらに、情報提供システム１００では、上記処理サーバ１３０側に、ユーザ側のプロファイルとコンテンツの属性との演算処理機能を備えることでき、これにより、記録再生装置のコストダウンやバージョンアップを簡単に行うことができる。また、上記処理サーバ１３０側では、上記情報端末装置１２０から送出された整理情報と端末識別情報に基づいて、上記情報端末装置１２０で再生されたコンテンツの集計処理を行い、例えば視聴率を求めることもできる。また、上記処理サーバ１３０側では、上記情報端末装置１２０から送出された整理情報と端末識別情報に基づいて、上記情報端末装置１２０側で再生されたコンテンツの複製状態を確認する処理を行うことも可能である。
【０１０９】
なお、情報提供システム１１０では、情報端末装置１２０側の記録再生装置１２１で再生操作が行われたときに、番組整理番号と記録再生機ＩＤを処理サーバ１３０側に渡すようにしたが、上記処理サーバ１３０が番組整理番号と記録再生機ＩＤを受け取る契機は、
１）  記録再生装置の再生操作が行われたときに
２）  記録再生装置の電源が入れられたときに
３）  その他の記録再生装置の操作を行った時に暗黙のうちに
４）  タイマーなどによって定期的に
５）  処理サーバによる呼出しを受けたときに
６）  ユーザの明示的な操作により、
等の各種場合とすることができる。
【０１１０】
また、記録再生装置に記録されている複数番組のうち、どの番組の整理番号を送るかの選択には、次のようなケースがある。
【０１１１】
Ａ）  上記１）のように、サーバに番組整理番号を送るべき対象とする番組が一つ、に絞れるケース。
【０１１２】
Ｂ）  上記６）のように、サーバに番組整理番号を送るべき対象とする番組複数が明示的に、絞れるケース。
【０１１３】
Ｃ）  上記２）などのように、記録再生装置内に記録されているすべての番組の番組整理番号をサーバに送るケース。
【０１１４】
ここで、処理サーバが番組整理番号と記録再生機ＩＤを受け取る契機６通りと、どの番組の整理番号を送るかの選択３通りは適宜組み合わせて使用することができる。
【０１１５】
【発明の効果】
以上のように、本発明によれば、コンテンツデータ毎に生成される整理情報が付加されて編成された番組本体データと補助素材群の組合せからなるマルチメディアコンテンツ群によるコンテンツデータとして連続ストリーミングを送出し、上記コンテンツデータとして送られてくる連続ストリーミングを受信し、受信した番組本体データ及び補助素材を記録するとともに上記番組本体データ及び補助素材に附属された整理情報を記録し、選択されたコンテンツデータの再生開始が指示されると、上記コンテンツデータに係る番組本体データ及び補助素材に附属する整理情報を端末識別情報とともに送出する機能を有する情報端末装置に対して、上記情報端末装置のプロファイルデータを管理し、上記整理情報と端末識別情報に基づいて、選択された上記コンテンツデータに係る番組本体データに組み合わされた補助素材の変更の有無を検出し、変更された補助素材がある場合に上記補助素材の変更指示を行うことにより、上記情報端末装置において、上記変更指示にしたがって上記コンテンツデータに係る番組本体データに組み合わされる補助素材を変更して上記コンテンツデータを再編成することができ、ＣＭなどの補助素材の差し替えや削除を簡単に行うことができる。すなわち、サーバ側で、受け取った整理情報を端末識別情報に基づいて、情報端末装置に対して、補助素材の改訂や追加／削除の指示を作成し、不足している補助素材は適宜送り届けることができる。したがって、放送時の編成と再生時の編成を意図的に変更することができる。また、放送時には伝えきれない精度の高い情報をユーザに提供することができる。さらに、補助素材の差し替えに応じた清算処理を行い、ＣＭ枠の再販を行うことができる。
【図面の簡単な説明】
【図１】本発明に係る情報提供システムの構成を示すブロック図である。
【図２】上記情報提供システムにおける情報端末装置を構成する記録再生装置の要部機能構成を示すブロック図である。
【図３】本発明に係る情報提供システムの他の構成を示すブロック図である。
【図４】上記情報提供システムの送信サーバにおける整理情報付与装置によるコンテンツデータへの番組整理番号の割当てを示す図である。
【図５】上記整理情報付与装置による整理情報の付与の仕方を示す図である。
【図６】上記情報提供システムにおけるコンテンツデータ及び整理情報の送り方を示す図である。
【図７】上記情報提供システムにおける情報端末装置の受信時の記録再生装置の動作を模式的に示す図である。
【図８】上記情報端末装置における番組整理番号送り出し時の記録再生装置の動作を模式的に示す図である。
【図９】上記情報提供システムにおける番組整理番号受信時の処理サーバの動作を模式的に示す図である。
【図１０】上記情報提供システムにおいて、ネットワーク経由で補助素材の変更指示と改訂補助素材を処理サーバから記録再生装置に送出する仕組みを模式的に示す図である。
【図１１】上記情報提供システムにおいて、初回番組作成を行うオーサリング機構により編成された初回送り出し用コンテンツデータの番組編成例を模式的に示す図である。
【図１２】上記情報提供システムにおいて、サーバ側で更新を受け付けた場合の本来の新しい番組編成例を模式的に示す図である。
【図１３】上記情報提供システムにおいて、送信サーバに構築されたコンテンツデータのデータベースの内容を模式的に示す図である。
【図１４】改訂された番組整理番号に対応する番組編成の変更内容を模式的に示す図である。
【図１５】上記処理サーバから記録再生装置に伝送される「改訂・補充・削除の指示」の内容を模式的に示す図である。
【図１６】上記記録再生装置で改訂・補充・削除の指示と改訂補助素材を受け取る仕組みを模式的に示す図である。
【符号の説明】
１  放送局、２  情報端末装置、３  追加クリップサーバ装置、４  コンテンツクリップ（番組）提供者、５  コンテンツクリップ（番組）提供者、６  ＣＭスポンサ、７  広告代理店、１０  記録再生装置、１１  録画結果保存部、１１Ａ  録画本体保存部、１１Ｂ  録画属性保存部、１２  個人プロファイル保存部、１３  ユーザ機器プロファイル保存部、１４  適用プロファイル生成部、１５再編成検討部、１６  ダウンロード機能部、１７  最終構成部、１８  コンテンツ再生部、１９  出力装置、５０，１００  情報提供システム、１１０  送信サーバ、１１１  コンテンツデータ蓄積装置、１１２  整理情報付与装置、１１３  コンテンツデータ送出装置、１２０  情報端末装置、１２１  記録再生装置、１３０  処理サーバ、１３１  改訂補助素材確認処理装置、１３２  改訂補助素材送出装置、１５０  清算機能部
【図１】
0004517480.tif 000002
【図２】
0004517480.tif 000003
【図３】
0004517480.tif 000004
【図４】
0004517480.tif 000005
【図５】
0004517480.tif 000006
【図６】
0004517480.tif 000007
【図７】
0004517480.tif 000008
【図８】
0004517480.tif 000009
【図９】
0004517480.tif 000010
【図１０】
0004517480.tif 000011
【図１１】
0004517480.tif 000012
【図１２】
0004517480.tif 000013
【図１３】
0004517480.tif 000014
【図１４】
0004517480.tif 000015
【図１５】
0004517480.tif 000016
【図１６】
0004517480.tif 000017